(57)【要約】【課題】  メダル表面の凹凸模様や傷の窪みに溜まっている手垢や金属粉等の汚れを確実に除去する。【解決手段】  上面にメダル投入口２と側面にメダル排出口５ａがそれぞれ開口された筒体５内に上側ブラシ盤３と下側ブラシ盤４をブラシ毛３ａ，４ａが対向するように設け、上側ブラシ盤３の中央部に開口３ｂを形成し、下側ブラシ盤４を回転させるモータ９を設け、メダル投入口２に洗浄水Ｗを吐水するノズル１５ｂを設け、メダル排出口５ａの先方の排出路６に吸水性を有する上下一対の拭取りローラ１２を設けたメダル清掃装置１において、前記筒体５のメダル排出口５ａと拭取りローラ１２の間の排出路６の位置に上下一対のブラシローラ１１を設け、しかもその上下一対のブラシローラ１１は、対向するブラシ毛１１ｂの毛先同士が接触するか又はややオーバーラップするように設ける。【選択図】  図１
2011019589.tif 000002
【特許請求の範囲】
【請求項１】
上面にメダル投入口と側面にメダル排出口がそれぞれ開口された筒体内に上下一対のブラシ盤をブラシ毛が対向するように設け、上側のブラシ盤の中央部を開口し、下側のブラシ盤を回転させる駆動手段を設け、メダル投入口に洗浄水を吐水するノズルを設け、筒体のメダル排出口の先方の搬送路に吸水性を有する上下一対の拭取りローラを設けたメダル清掃装置において、前記筒体のメダル排出口と拭取りローラの間の搬送路位置に上下一対のブラシローラを設け、しかもその上下一対のブラシローラは、対向するブラシ毛の毛先同士が接触するか又はややオーバーラップするように設けたことを特徴とする、メダル清掃装置。
【請求項２】
上下一対のブラシローラのブラシ毛が、線径０．４ｍｍ以下で、長さ５〜１３ｍｍの範囲である、請求項１記載のメダル清掃装置。
【請求項３】
上下一対のブラシローラのブラシ毛が、線径０．２〜０．３ｍｍの範囲で、そのブラシ毛を植毛密度が円周方向１ｃｍ当り８０〜１２０本となるように螺旋状に植毛したものである、請求項１又は２記載のメダル清掃装置。
【発明の詳細な説明】
【技術分野】
【０００１】
本発明は、スロットマシン等の遊技に使用されるメダルの清掃装置に関する。
【背景技術】
【０００２】
従来のメダル清掃装置が特許文献１で開示されている。この技術は、図７に示すように、上下のブラシ盤２２間にメダルｍを洗浄水Ｗとともに送り込みながら相対的に回転させ、その回転と遠心力でメダルｍを洗浄研磨しながら円周方向へ移行させて排出し、その排出したメダルｍの両面を吸水性の拭取りローラ２４で汚れと水滴を拭き取るようにした構造を特徴としている。図中、２１はメダル投入口、２３はモータ、２５は排出口、２６は貯水タンク、２７は洗浄水Ｗを送り出すポンプである。
【０００３】
ところで、メダルｍの表面には凹凸模様や使用中に形成された傷を有しているから、前記技術において、ブラシ盤２２による洗浄研磨では大きなゴミや汚れは除去されるが、拭取りローラ２４ではメダルｍの表面を拭うだけで、凹凸模様や傷の窪みに溜まっている手垢や金属粉等の汚れは除去が不十分であった。
【先行技術文献】
【特許文献】
【０００４】
【特許文献１】特開２００７−３３０６４９号公報
【発明の概要】
【発明が解決しようとする課題】
【０００５】
本発明が解決しようとする課題は、従来のこれらの問題点を解消し、メダル表面の凹凸模様や傷の窪みに溜まっている手垢や金属粉等の汚れを確実に除去できるメダル清掃装置を提供することにある。
【課題を解決するための手段】
【０００６】
かかる課題を解決した本発明の構成は、
１）  上面にメダル投入口と側面にメダル排出口がそれぞれ開口された筒体内に上下一対のブラシ盤をブラシ毛が対向するように設け、上側のブラシ盤の中央部を開口し、下側のブラシ盤を回転させる駆動手段を設け、メダル投入口に洗浄水を吐水するノズルを設け、筒体のメダル排出口の先方の搬送路に吸水性を有する上下一対の拭取りローラを設けたメダル清掃装置において、前記筒体のメダル排出口と拭取りローラの間の搬送路位置に上下一対のブラシローラを設け、しかもその上下一対のブラシローラは、対向するブラシ毛の毛先同士が接触するか又はややオーバーラップするように設けたことを特徴とする、メダル清掃装置
２）  上下一対のブラシローラのブラシ毛が、線径０．４ｍｍ以下で、長さ５〜１３ｍｍの範囲である、前記１）記載のメダル清掃装置
３）  上下一対のブラシローラのブラシ毛が、線径０．２〜０．３ｍｍの範囲で、そのブラシ毛を植毛密度が円周方向１ｃｍ当り８０〜１２０本となるように螺旋状に植毛したものである、前記１）又は２）記載のメダル清掃装置
にある。
【発明の効果】
【０００７】
本発明では、ノズルから洗浄水を吐水して下側ブラシ盤を回転させ、この状態でメダル投入口から上側ブラシ盤の開口を通じてメダルを投入すると、メダルが上側ブラシ盤と下側ブラシ盤で洗浄研磨されながら回転と遠心力で円周方向へ移行してメダル排出口から排出される。その排出されたメダルは搬送路の途中でブラシローラにより両面が擦られ、上側ブラシ盤と下側ブラシ盤では除去されなかった凹凸模様や傷の窪みの汚れが掻き出される。その後、拭取りローラで水滴と掻き出された汚れが拭き取られながら送り出される。
【０００８】
ブラシローラの工程では、メダルが上下一対のブラシローラ間に進入すると、ブラシ毛がメダルに接触して変形しながらメダル表面を押圧し、毛先が凹凸模様や傷の窪みに当たる。メダルはブラシローラの回転力で搬送され、ブラシ毛がメダル表面から離れる際、ブラシ毛の反発力で毛先が凹凸模様や傷の窪みから跳ねるように離れて汚れが掻き出される。このように、上側ブラシ盤及び下側ブラシ盤や拭取りローラだけでは除去され難かった凹凸模様や傷の窪みの汚れまで確実に除去できるようになり、従来技術と比較して清掃能力が高いものとなる。
【図面の簡単な説明】
【０００９】
【図１】実施例のメダル清掃装置の縦断面図である。
【図２】実施例のメダル清掃装置の分解斜視図である。
【図３】実施例のブラシローラと拭取りローラの斜視図である。
【図４】実施例のブラシローラの説明図である。
【図５】実施例のメダル清掃装置の使用状態を示す説明図である。
【図６】実施例のブラシローラのブラシ毛の動きを示す説明図である。
【図７】従来のメダル清掃装置の縦断面図である。
【発明を実施するための形態】
【００１０】
本発明のブラシローラとしては、線径０．４ｍｍ以下、望ましくは０．２〜０．３ｍｍの範囲で、長さ５〜１３ｍｍのブラシ毛を植毛したものが、メダル表面の凹凸模様や傷の窪みに溜まった汚れを確実に掻き出せて好ましい。ブラシ毛は螺旋状に植毛すると、メダルの搬送方向に対してブラシ毛が斜めに移動することになり、その相対的な動きで摩擦が生じて清掃能力が向上する。植毛密度は円周方向１ｃｍ当り８０〜１２０本の範囲が実用的である。さらに、上下のブラシローラの回転数を異ならせるか、あるいは筒体からのメダルの排出速度とブラシローラの送り速度を異ならせると、その相対的な動きで摩擦を生じさせて清掃能力がさらに向上する。
【００１１】
拭取りローラとしては、連続気泡を有する発泡合成樹脂や吸水性を有する布材を巻き付けたものなど、汚れの除去性に優れるものを用いる。上下一対の拭取りローラは、求める清掃能力に応じて１組又は複数組設けられる。下側の拭取りローラには硬質の絞りローラを押し当て、吸水した洗浄水を絞り出して吸水性を一定に維持できるようにする。
【００１２】
ポンプとしては、少量の洗浄水を連続的に送り出すか、又は間欠的に送り出すことができるようにしたものを用い、メダルの表面が湿る程度の量を給水する。洗浄水は水又は水に洗浄液を適量混合したものを用いる。以下、本発明の実施例を図面に基づいて具体的に説明する。
【実施例】
【００１３】
図１は実施例のメダル清掃装置の縦断面図、図２は実施例のメダル清掃装置の分解斜視図、図３は実施例のブラシローラと拭取りローラの斜視図、図４は実施例のブラシローラの説明図、図５は実施例のメダル清掃装置の使用状態を示す説明図、図６は実施例のブラシローラのブラシ毛の動きを示す説明図である。
【００１４】
図中、１はメダル清掃装置、２はメダル投入口、３は上側ブラシ盤、３ａはブラシ毛、３ｂは開口、４は下側ブラシ盤、４ａはブラシ毛、４ｂは軟質シート、５は筒体、５ａはメダル排出口、５ｂは排水孔、６は搬送路、７は排出口、８は回転軸、８ａは従動ローラ、９はモータ、９ａは駆動ローラ、１０は駆動ベルト、１１はブラシローラ、１１ａは芯材、１１ｂはブラシ毛、１１ｃはギヤ、１１ｄは回転軸、１２は拭取りローラ、１２ａはギヤ、１３は絞りローラ、１３ａはギヤ、１３ｂは小ギヤ、１４はモータ、１４ａは駆動ギヤ、１４ｂは駆動チェーン、１５は貯水タンク、１５ａは給水管、１５ｂはノズル、１５ｃはポンプ、１５ｄ，１５ｅは回収路、ｍはメダル、Ｗは洗浄水である。
【００１５】
本実施例のメダル清掃装置１は、図１，２に示すように、上部にすり鉢状のメダル投入口２を備え、そのメダル投入口２の下端に開口３ｂを中央部に形成した上側ブラシ盤３を固定し、その上側ブラシ盤３の直下位置に下側ブラシ盤４をブラシ毛３ａ，４ａが対向するように回転自在に配置している。上側ブラシ盤３と下側ブラシ盤４はその周囲及び底部を筒体５で覆い、その筒体５の底面中央部を穿孔して下側ブラシ盤４と回転軸８とを軸着し、その回転軸８の従動ローラ８ａとモータ９の駆動ローラ９ａとの間に駆動ベルト１０を掛架している。軟質シート４ｂはメダルｍの滑りを防止するものである。
【００１６】
筒体５の側面にはメダル排出口５ａを形成し、底面には排水孔５ｂを開口し、搬送路６の途中位置に上下一対のブラシローラ１１と上下一対の２組の拭取りローラ１２を搬送方向に沿って設け、下側の拭取りローラ１２の直下位置に絞りローラ１３を拭取りローラ１２に押し当てた状態にして設けている。メダル排出口５ａは、メダルｍの２枚分の厚さ以下の高さに形成している。
【００１７】
貯水タンク１５には洗浄水Ｗを貯水し、給水管１５ａを垂直に配管してノズル１５ｂをメダル投入口２側に曲折して設け、貯水タンク１５の洗浄水Ｗを給水管１５ａへ送り出すポンプ１５ｃを設けている。絞りローラ１３から落下する洗浄水Ｗと筒体５の排水孔５ｂから排水される洗浄水Ｗを貯水タンク１５に回収する回収路１５ｄ，１５ｅを設け、貯水タンク１５の洗浄水Ｗをノズル１５ｂから間欠的に吐水するようにポンプ１５ｃを作動させる図示しないコントローラを設けている。
【００１８】
ブラシローラ１１と拭取りローラ１２と絞りローラ１３の軸端には、図３に示すように、ギヤ１１ｃ，１２ａ，１３ａと小ギヤ１３ｂを取り付け、下側のブラシローラ１１の直下位置にギヤ１３ａと小ギヤ１３ｂを備えた回転軸１１ｄを配置している。そのギヤ１１ｃ，１２ａ，１３ａ同士を歯合するとともに、小ギヤ１３ｂとモータ１４の駆動ギヤ１４ａとの間に駆動ベルト１４ｂを掛架して連動できるようにしている。
【００１９】
ブラシローラ１１は、図４に示すように、芯材１１ａに線径０．２ｍｍで且つ長さ８ｍｍのナイロン樹脂製のブラシ毛１１ｂを植毛密度が円周方向１ｃｍ当り１００本となるように螺旋状に植毛し、対向するブラシ毛１１ｂの毛先同士がほぼ接触する位置に軸支している。拭取りローラ１２は連続気泡を備えたスポンジで構成し、絞りローラ１３は硬質のプラスチックで構成している。洗浄水Ｗは水を使用している。メダルｍは厚さ１．６ｍｍ、外径２５ｍｍ、凹凸の窪みの深さは約０．３ｍｍである。
【００２０】
本実施例では、モータ９，１４とポンプ１５ｃを作動させると、下側ブラシ盤４とブラシローラ１１と拭取りローラ１２と絞りローラ１３が回転し、貯水タンク１５の洗浄水Ｗがノズル１５ｂから吐水する。洗浄水Ｗはメダル投入口２と開口３ｂを通じて下側ブラシ盤４に流れ落ち、下側ブラシ盤４の回転による遠心力で飛散して上側ブラシ盤３と下側ブラシ盤４を適度に湿らせる。余剰の洗浄水Ｗは筒体５の底面に落下して排水孔５ｂから貯水タンク１５へ回収される。洗浄水Ｗは吐水１０秒間、停止２０秒間が繰り返される。
【００２１】
図５に示すように、汚れたメダルｍをメダル投入口２へ投入すると、上側ブラシ盤３と下側ブラシ盤４の間に遠心力によって進入し、下側ブラシ盤４の回転でメダルｍがブラシ毛３ａ，４ａで洗浄研磨されながら遠心力で円周方向へ移行し、メダル排出口５ａから１枚づつ排出される。除去された大きなゴミや汚れは下側ブラシ盤４の外周縁から洗浄水Ｗとともに筒体５の底部に落下し、排水孔５ｂから回収路１５ｅを通じて貯水タンク１５に収容される。
【００２２】
排出されたメダルｍは上下一対のブラシローラ１１間に進入し、図６に示すように、ブラシ毛１１ｂがメダルｍに接触して変形しながらメダルｍの表面を押圧し、毛先が凹凸模様や傷の窪みに当たる。メダルｍはブラシローラ１１の回転力で搬送されてブラシローラ１１を通過し、ブラシ毛１１ｂがメダルｍの表面から離れる際、ブラシ毛１１ｂの反発力で毛先が凹凸模様や傷の窪みから跳ねるように離れて汚れが掻き出される。
【００２３】
その後、メダルｍは拭取りローラ１２で水滴と掻き出された汚れが拭き取られながら排出口７へ送り出される。拭取りローラ１２に吸水された洗浄水Ｗは絞りローラ１３で絞り出され、回収路１５ｄで貯水タンク１５に回収されて再利用される。このように、本実施例によれば、上側ブラシ盤３及び下側ブラシ盤４や拭取りローラ１２だけでは除去され難かった凹凸模様や傷の窪みの汚れまで確実に除去できるようになり、従来技術と比較して清掃能力が高いものとなった。
【産業上の利用可能性】
【００２４】
本発明の技術は、スロットマシン等の遊技に使用されるメダルの他、硬貨やこれに類似する形状の物品の清掃に利用できる。
【符号の説明】
【００２５】
１  メダル清掃装置
２  メダル投入口
３  上側ブラシ盤
３ａ  ブラシ毛
３ｂ  開口
４  下側ブラシ盤
４ａ  ブラシ毛
４ｂ  軟質シート
５  筒体
５ａ  メダル排出口
５ｂ  排水孔
６  搬送路
７  排出口
８  回転軸
８ａ  従動ローラ
９  モータ
９ａ  駆動ローラ
１０  駆動ベルト
１１  ブラシローラ
１１ａ  芯材
１１ｂ  ブラシ毛
１１ｃ  ギヤ
１１ｄ  回転軸
１２  拭取りローラ
１２ａ  ギヤ
１３  絞りローラ
１３ａ  ギヤ
１３ｂ  小ギヤ
１４  モータ
１４ａ  駆動ギヤ
１４ｂ  駆動チェーン
１５  貯水タンク
１５ａ  給水管
１５ｂ  ノズル
１５ｃ  ポンプ
１５ｄ，１５ｅ  回収路
２１  メダル投入口
２２  ブラシ盤
２３  モータ
２４  拭取りローラ
２５  排出口
２６  貯水タンク
２７  ポンプ
ｍ  メダル
Ｗ  洗浄水
【図１】
2011019589.tif 000003
【図２】
2011019589.tif 000004
【図３】
2011019589.tif 000005
【図４】
2011019589.tif 000006
【図５】
2011019589.tif 000007
【図６】
2011019589.tif 000008
【図７】
2011019589.tif 000009